(57)【特許請求の範囲】
【請求項１】
装飾粒子を含むインクを貯留するインク貯留部と、該インク貯留部からのインクが供給される基端と、該基端の反対側の先端であって、インクの塗布対象に接触される先端とを有するとともに、インクの塗布対象に前記インクを塗布するためのペン先部と、前記ペン先部を挿通させる貫通孔を有し、前記ペン先部を前記貫通孔に挿通させた状態で、前記ペン先部の先端を露出させつつ前記ペン先部の少なくとも一部を保持するホルダー部と、を備え、
前記ペン先部は、外周面上で開放し且つ前記基端から前記先端まで延びる溝を備え、
前記ホルダー部は、前記ペン先部の先端を延出させる先端面と、前記貫通孔の周囲に形成された環状面であって、前記先端面に対して反対側を向く環状面と、を有し、
前記ホルダー部には、前記貫通孔を画定し、且つ、前記ペン先部の少なくとも一部を拘束可能な内周面上でそれぞれ開口した複数の第一開放部と、前記第一開放部に連通し、且つ、前記第一開放部から外方に向かって延びる空間であって、前記インク貯留部からのインクを保持可能な空間によりそれぞれ構成される複数のインク保持部と、前記環状面上で開口した第二開放部であって、前記インク保持部と連通する第二開放部と、が形成され、
前記複数のインク保持部は、前記貫通孔を中心にして放射状に配置されていることを特徴とするペン。
【請求項２】
前記ペン先部の溝は、ペン先部の外周に周方向に間隔をあけて複数設けられている請求項１に記載のペン。
【請求項３】
前記ペン先部の溝は、ペン先部の中心側から外周に向けて拡大している請求項１又は２に記載のペン。
【請求項４】
インク貯留部のインクをペン先部に向けて誘導するインク誘導部を備え、インク誘導部は、インク貯留部に接続される一端部と、該一端部とは反対側の他端部であって、ペン先部に接続される他端部とを有するとともに、外周面上で開放し且つ一端から他端まで延びる溝を備えている請求項１乃至３の何れか１項に記載のペン。
【請求項５】
前記インク誘導部の溝は、インク誘導部の外周に周方向に間隔をあけて複数設けられている請求項４に記載のペン。
【請求項６】
前記インク誘導部の溝は、インク誘導部の中心側から外周に向けて拡大している請求項４又は５に記載のペン。
【請求項７】
ペン先部及びインク誘導部は、連続して一体成形され、互いの溝が連続して形成されている請求項４乃至６の何れか１項に記載のペン。
【請求項８】
装飾粒子を含むインクを貯留するインク貯留部であって、ペンの外装を構成する胴軸部に収容されるインク貯留部と、該インク貯留部からのインクが供給される基端と、該基端の反対側の先端であって、インクの塗布対象に接触される先端とを有するとともに、インクの塗布対象に前記インクを塗布するためのペン先部であって、胴軸部から露出してインクの塗布対象にインクを塗布するためのペン先部と、前記ペン先部を挿通させる貫通孔を有し、前記ペン先部を前記貫通孔に挿通させた状態で、前記ペン先部の先端を露出させつつ前記ペン先部の少なくとも一部を保持するホルダー部と、を備え、
前記ペン先部は、外周面上で開放し且つ前記基端から前記先端まで延びる溝を備え、
前記ホルダー部は、前記ペン先部の先端を延出させる先端面と、前記貫通孔の周囲に形成された環状面であって、前記先端面に対して反対側を向く環状面と、を有し、
前記ホルダー部には、前記貫通孔を画定し、且つ、前記ペン先部の少なくとも一部を拘束可能な内周面上でそれぞれ開口した複数の第一開放部と、前記第一開放部に連通し、且つ、前記第一開放部から外方に向かって延びる空間であって、前記インク貯留部からのインクを保持可能な空間によりそれぞれ構成される複数のインク保持部と、前記環状面上で開口した第二開放部であって、前記インク保持部と連通する第二開放部と、が形成され、
前記複数のインク保持部は、前記貫通孔を中心にして放射状に配置されていることを特徴とするペン用リフィル。
【請求項９】
前記ペン先部の溝は、ペン先部の外周に周方向に間隔をあけて複数設けられている請求項８に記載のペン用リフィル。
【請求項１０】
前記ペン先部の溝は、ペン先部の中心側から外周に向けて拡大している請求項８又は９に記載のペン用リフィル。
【請求項１１】
インク貯留部のインクをペン先部に向けて誘導するインク誘導部を備え、インク誘導部は、インク貯留部に接続される一端部と、該一端部とは反対側の他端部であって、ペン先部に接続される他端部とを有するとともに、外周面上で開放し且つ一端から他端まで延びる溝を備えている請求項８乃至１０の何れか１項に記載のペン用リフィル。
【請求項１２】
前記インク誘導部の溝は、インク誘導部の外周に周方向に間隔をあけて複数設けられている請求項１１に記載のペン用リフィル。
【請求項１３】
前記インク誘導部の溝は、インク誘導部の中心側から外周に向けて拡大している請求項１１又は１２に記載のペン用リフィル。
【請求項１４】
ペン先部及びインク誘導部は、連続して一体成形され、互いの溝が連続して形成されている請求項１１乃至１３の何れか１項に記載のペン用リフィル。
【発明の詳細な説明】
【技術分野】
【０００１】
本発明は、筆記具や化粧具として用いられるペン及びペン用リフィルに関する。
【背景技術】
【０００２】
従来から、筆記具や化粧具等には、種々タイプのものがあり、その一つとして、反射性或いは光沢性を有する装飾粒子を含むインク（所謂、ラメ入りインク）を対象物等に塗布可能に構成されたペンが提供されている。
【０００３】
この種のペンは、装飾粒子を含むインクを貯留するインク貯留部と、インク貯留部からインクが供給されるペン先部であって、インクの塗布対象に供給されたインクを塗布するためのペン先部とを備える。
【０００４】
インク貯留部は、インクを収容する内部空間を画定した周壁部を有する。インク貯留部には、種々のものがあり、例えば、内部空間に液状のインクを充填したもの（例えば、特許文献１参照）や、内部空間全体に充填された吸液性を有するインク吸蔵材にインクを吸蔵させたもの（例えば、特許文献２参照）、内部空間の所定領域に液状のインクを充填し、内部空間の残りの領域に充填された吸液性を有するインク吸蔵材にインクを吸蔵させたもの（例えば、特許文献３参照）等がある。
【０００５】
ペン先部には、多数の毛を束ねたものや、繊維材を棒状に成形したものがある。ペン先部は、インク誘導部に接続される基端部と、該基端部の反対に位置する先端部であって、塗布対象に接触させる先端部とを有し、インク誘導部からのインクを、毛の間や繊維の間にある微小空間の毛細管力によって基端部から先端部にかけて付着させるようになっている。
【０００６】
この種のペンは、インクの塗布対象にペン先部の先端部を接触させると、ペン先部にあるインクが塗布対象に乗り移り、当該ペン先部のインクが消費される。そうすると、ペン先部の毛細管力により、インク貯留部からのインクがペン先部に供給される。
【０００７】
これにより、この種のペンは、インクの塗布対象に対して連続的にインクを塗布できるようになっている。
【先行技術文献】
【特許文献】
【０００８】
【特許文献１】実公昭６０−７１９１号公報
【特許文献２】特開２００５−３４２９５０号公報
【特許文献３】特開２０１２−１３５９８２号公報
【発明の概要】
【発明が解決しようとする課題】
【０００９】
ところで、この種のペンは、使用を繰り返すと、インクに含まれる装飾粒子がペン先部内の微小空間内（毛の間や繊維の間）に堆積し、ペン先部に対するインクの供給ができなくなることがある。
【００１０】
具体的に説明すると、この種のペンのペン先部は、多数の毛を束ねたものや、繊維材を棒状に成形したものであるため、毛や繊維に包囲された微小空間がインクの流通経路となる。そのため、使用を繰り返していると、インクの流通経路である微小空間の周囲にある毛や繊維等に対し、インクに含まれている装飾粒子が付着したり引っ掛かったりする機会が多くなる。その結果、インクの流通経路となる微小空間（本来、毛細管力を発揮すべき微小空間）に目詰まりが生じ、ペン先部の先端部に適量なインクが供給されなくなることがある。従って、この種のペンは、円滑な使用を開始できなくなることがある。
【００１１】
そこで、本発明は、装飾粒子を含むインクをペン先部に対して適正に供給でき、円滑に使用を開始することのできるペン及びペン用リフィルを提供することを課題とする。
【課題を解決するための手段】
【００１２】
本発明に係るペンは、装飾粒子を含むインクを貯留するインク貯留部と、該インク貯留部からのインクが供給される基端と、該基端の反対側の先端であって、インクの塗布対象に接触される先端とを有するとともに、インクの塗布対象に前記インクを塗布するためのペン先部と、前記ペン先部を挿通させる貫通孔を有し、前記ペン先部を前記貫通孔に挿通させた状態で、前記ペン先部の先端を露出させつつ前記ペン先部の少なくとも一部を保持するホルダー部と、を備え、前記ペン先部は、外周面上で開放し且つ前記基端から前記先端まで延びる溝を備え、前記ホルダー部は、前記ペン先部の先端を延出させる先端面と、前記貫通孔の周囲に形成された環状面であって、前記先端面に対して反対側を向く環状面と、を有し、前記ホルダー部には、前記貫通孔を画定し、且つ、前記ペン先部の少なくとも一部を拘束可能な内周面上でそれぞれ開口した複数の第一開放部と、前記第一開放部に連通し、且つ、前記第一開放部から外方に向かって延びる空間であって、前記インク貯留部からのインクを保持可能な空間によりそれぞれ構成される複数のインク保持部と、前記環状面上で開口した第二開放部であって、前記インク保持部と連通する第二開放部と、が形成され、前記複数のインク保持部は、前記貫通孔を中心にして放射状に配置されていることを特徴とする。
【００１３】
上記構成のペンによれば、インク貯留部のインクがペン先部に供給されると、該インクは、ペン先部の基端から該ペン先部の外周上に形成された溝に流入する。そうすると、溝の毛細管力により、供給されたインクは、ペン先部の基端から先端に向けて流通し、ペン先部の先端がインクで潤沢になる。
【００１４】
そして、ペン先部の先端がインクの塗布対象に接触すると、ペン先部の先端にあるインクが塗布対象に乗り移り、ペン先部のインクが消費される。これに伴い、インク貯留部に貯留されたインクがペン先部に供給される。従って、上記構成のペンは、インクの塗布対象に対してインクを連続的に塗布することができる。
【００１５】
そして、上記構成のペンにおいて、インク貯留部のインクが装飾粒子を含んでいるが、ペン先部に形成された溝は、ペン先部の外周で開放しているため、インクの流通に伴って装飾粒子がペン先部に堆積することが防止される。
【００１６】
具体的に説明すると、ペン先部の基端から先端まで形成されるインクの流通空間の周囲が閉じられると、該流通空間を画定する壁面に装飾粒子が引っ掛かったり、付着したりする機会が増えるため、インクに含まれる装飾粒子が堆積し、インクの流通が阻害される。
【００１７】
しかし、上記構成のペンにおいては、ペン先部の外周上で開放した溝をインクが流通するため、インクに含まれる装飾粒子が流通空間（溝）を画定する壁面と接触する機会を少なくできる。その結果、インクに含まれる装飾粒子がペン先部上で堆積することが抑制され、インクの適正な流通が確保される。
【００１８】
本発明の一態様として、前記ペン先部の溝は、ペン先部の外周に周方向に間隔をあけて複数設けられていることが好ましい。このようにすれば、複数の溝のそれぞれでインクが流通するため、ペン先部の先端における外周の複数箇所にインクが供給される。従って、ペンの姿勢に関係なく、ペン先部の先端をインクの塗布対象に接触させることで、インクの塗布対象にインクを塗布することができる。
【００１９】
本発明の他態様として、前記ペン先部の溝は、ペン先部の中心側から外周に向けて拡大していることが好ましい。このようにすれば、ペン先部の外周側ほど溝の幅が広くなるため、インクに含まれる装飾粒子に比較的な大きなものが含まれていたとしても、装飾粒子が溝の幅の広い領域を通過することになり、インクの円滑な流通を確保できる。
【００２０】
本発明の別の態様として、インク貯留部のインクをペン先部に向けて誘導するインク誘導部を備え、インク誘導部は、インク貯留部に接続される一端部と、該一端部とは反対側の他端部であって、ペン先部に接続される他端部とを有するとともに、外周面上で開放し且つ一端から他端まで延びる溝を備えていてもよい。
【００２１】
このようにすれば、装飾粒子を含むインクをインク貯留部からペン先部に適正に供給することができる。
【００２２】
具体的には、インク誘導部の一端から他端まで形成されるインクの流通空間の周囲が閉じられると、該流通空間を画定する壁面に装飾粒子が引っ掛かったり、付着したりする機会が増えるため、インクに含まれる装飾粒子が堆積し、インクの流通が阻害される。
【００２３】
しかし、上記構成のペンにおいては、インク誘導部の外周上で開放した溝をインクが流通するため、インクに含まれる装飾粒子が流通空間を画定する壁面と接触する機会を少なくできる。その結果、インクに含まれる装飾粒子がインク誘導部で堆積することが抑制され、ペン先部に対するインクの適正な供給が確保される。
【００２４】
この場合、前記インク誘導部の溝は、インク誘導部の外周に周方向に間隔をあけて複数設けられていることが好ましい。このようにすれば、複数の溝のそれぞれでインクが流通するため、ペン先部の複数箇所にインクが供給される。従って、ペン先部に対するインクの供給が確実となる。
【００２５】
また、前記インク誘導部の溝は、インク誘導部の中心側から外周に向けて拡大していることが好ましい。このようにすれば、インク誘導部の外周側ほど溝の幅が広くなるため、インクに含まれる装飾粒子に比較的な大きなものが含まれていたとしても、装飾粒子が溝の幅の広い領域を通過することになり、インクの円滑な流通を確保できる。
【００２６】
この場合、ペン先部及びインク誘導部は、連続して一体成形され、互いの溝が連続して形成されていることが好ましい。このようにすれば、インク貯留部からのインクは、インク誘導体の溝を流通し、引き続きペン先部の溝を流通する。すなわち、インクの流通経路が断続的にならず、インクの円滑な流通が確保される。
【００２７】
本発明に係るペン用リフィルは、装飾粒子を含むインクを貯留するインク貯留部であって、ペンの外装を構成する胴軸部に収容されるインク貯留部と、該インク貯留部からのインクが供給される基端と、該基端の反対側の先端であって、インクの塗布対象に接触される先端とを有するとともに、インクの塗布対象に前記インクを塗布するためのペン先部であって、胴軸部から露出してインクの塗布対象にインクを塗布するためのペン先部と、前記ペン先部を挿通させる貫通孔を有し、前記ペン先部を前記貫通孔に挿通させた状態で、前記ペン先部の先端を露出させつつ前記ペン先部の少なくとも一部を保持するホルダー部と、を備え、前記ペン先部は、外周面上で開放し且つ前記基端から前記先端まで延びる溝を備え、前記ホルダー部は、前記ペン先部の先端を延出させる先端面と、前記貫通孔の周囲に形成された環状面であって、前記先端面に対して反対側を向く環状面と、を有し、前記ホルダー部には、前記貫通孔を画定し、且つ、前記ペン先部の少なくとも一部を拘束可能な内周面上でそれぞれ開口した複数の第一開放部と、前記第一開放部に連通し、且つ、前記第一開放部から外方に向かって延びる空間であって、前記インク貯留部からのインクを保持可能な空間によりそれぞれ構成される複数のインク保持部と、前記環状面上で開口した第二開放部であって、前記インク保持部と連通する第二開放部と、が形成され、前記複数のインク保持部は、前記貫通孔を中心にして放射状に配置されていることを特徴とする。
【００２８】
上記構成のペン用リフィルによれば、インク貯留部のインクがペン先部に供給されると、該インクは、ペン先部の基端から該ペン先部の外周上に形成された溝に流入する。そうすると、溝の毛細管力により、供給されたインクは、ペン先部の基端から先端に向けて流通し、ペン先部の先端がインクで潤沢になる。
【００２９】
そして、ペン先部の先端がインクの塗布対象に接触すると、ペン先部の先端にあるインクが塗布対象に乗り移り、ペン先部のインクが消費される。これに伴い、インク貯留部に貯留されたインクがペン先部に供給される。従って、上記構成のペン用リフィルは、インクの塗布対象に対してインクを連続的に塗布することができる。
【００３０】
そして、上記構成のペン用リフィルにおいて、インク貯留部のインクが装飾粒子を含んでいるが、ペン先部に形成された溝は、ペン先部の外周で開放しているため、インクの流通に伴って装飾粒子がペン先部に堆積することが防止される。
【００３１】
具体的に説明すると、ペン先部の基端から先端まで形成されるインクの流通空間の周囲が閉じられると、該流通空間を画定する壁面に装飾粒子が引っ掛かったり、付着したりする機会が増えるため、インクに含まれる装飾粒子が堆積し、インクの流通が阻害される。
【００３２】
しかし、上記構成のペン用リフィルにおいては、ペン先部の外周上で開放した溝をインクが流通するため、インクに含まれる装飾粒子が流通空間（溝）を画定する壁面と接触する機会を少なくできる。その結果、インクに含まれる装飾粒子がペン先部上で堆積することが抑制され、インクの適正な流通が確保される。
【００３３】
本発明の一態様として、前記ペン先部の溝は、ペン先部の外周に周方向に間隔をあけて複数設けられていることが好ましい。このようにすれば、複数の溝のそれぞれでインクが流通するため、ペン先部の先端における外周の複数箇所にインクが供給される。従って、ペンの姿勢に関係なく、ペン先部の先端をインクの塗布対象に接触させることで、インクの塗布対象にインクを塗布することができる。
【００３４】
本発明の他態様として、前記ペン先部の溝は、ペン先部の中心側から外周に向けて拡大していることが好ましい。このようにすれば、ペン先部の外周側ほど溝の幅が広くなるため、インクに含まれる装飾粒子に比較的な大きなものが含まれていたとしても、装飾粒子が溝の幅の広い領域を通過することになり、インクの円滑な流通を確保できる。
【００３５】
本発明の別の態様として、インク貯留部のインクをペン先部に向けて誘導するインク誘導部を備え、インク誘導部は、インク貯留部に接続される一端部と、該一端部とは反対側の他端部であって、ペン先部に接続される他端部とを有するとともに、外周面上で開放し且つ一端から他端まで延びる溝を備えていてもよい。
【００３６】
このようにすれば、装飾粒子を含むインクをインク貯留部からペン先部に適正に供給することができる。
【００３７】
具体的には、インク誘導部の一端から他端まで形成されるインクの流通空間の周囲が閉じられると、該流通空間を画定する壁面に装飾粒子が引っ掛かったり、付着したりする機会が増えるため、インクに含まれる装飾粒子が堆積し、インクの流通が阻害される。
【００３８】
しかし、上記構成のペン用リフィルにおいては、インク誘導部の外周上で開放した溝をインクが流通するため、インクに含まれる装飾粒子が流通空間を画定する壁面と接触する機会を少なくできる。その結果、インクに含まれる装飾粒子がインク誘導部で堆積することが抑制され、ペン先部に対するインクの適正な供給が確保される。
【００３９】
この場合、前記インク誘導部の溝は、インク誘導部の外周に周方向に間隔をあけて複数設けられていることが好ましい。このようにすれば、複数の溝のそれぞれでインクが流通するため、ペン先部の複数箇所にインクが供給される。従って、ペン先部に対するインクの供給が確実となる。
【００４０】
また、前記インク誘導部の溝は、インク誘導部の中心側から外周に向けて拡大していることが好ましい。このようにすれば、インク誘導部の外周側ほど溝の幅が広くなるため、インクに含まれる装飾粒子に比較的な大きなものが含まれていたとしても、装飾粒子が溝の幅の広い領域を通過することになり、インクの円滑な流通を確保できる。
【００４１】
この場合、ペン先部及びインク誘導部は、連続して一体成形され、互いの溝が連続して形成されていることが好ましい。このようにすれば、インク貯留部からのインクは、インク誘導体の溝を流通し、引き続きペン先部の溝を流通する。すなわち、インクの流通経路が断続的にならず、インクの円滑な流通が確保される。
【発明の効果】
【００４２】
以上のように、本発明に係るペンによれば、装飾粒子を含むインクをペン先部に対して適正に供給でき、円滑に使用を開始することができるという優れた効果を奏し得る。
【００４３】
また、本発明に係るペン用リフィルによれば、装飾粒子を含むインクをペン先部に対して適正に供給でき、円滑に使用を開始することができるという優れた効果を奏し得る。
【図面の簡単な説明】
【００４４】
【図１】図１は、本発明の一実施形態に係るペンの断面図である。
【図２】図２は、同実施形態に係るペンの断面図であって、ペン本体からキャップを取り外した状態の断面図である。
【図３】図３は、同実施形態に係るペン（ペン本体）の部分拡大断面図である。
【図４】図４は、図３のＩ−Ｉ断面図である。
【図５】図５は、図３のＩＩ−ＩＩ断面図である。
【図６】図６は、同実施形態に係るペンにおけるホルダー部の平面図である。
【図７】図７は、同実施形態に係るペンにおけるホルダー部の正面図である。
【図８】図８は、図６のＩＩＩ−ＩＩＩ断面図である。
【図９】図９は、同実施形態に係るペンにおけるホルダー部の側面図であって、ホルダー部の中心線の延びる方向の一方側から見た側面図である。
【図１０】図１０は、同実施形態に係るペンにおけるホルダー部の側面図であって、ホルダー部の中心線の延びる方向の他方側から見た側面図である。
【図１１】図１１は、同実施形態に係るペンにおけるホルダー部の斜視図である。
【図１２】図１２は、本発明の他実施形態に係るペン（ペン本体）のペン先部又はインク誘導部の断面図である。
【図１３】図１３は、本発明の別の実施形態に係るペン（ペン本体）の断面図である。
【図１４】図１４は、本発明のさらに別の実施形態に係るペンの断面図（ペン本体）である。
【図１５】図１５は、本発明のさらに別の実施形態に係るペン（ペン本体）の断面図である。
【発明を実施するための形態】
【００４５】
以下、本発明の一実施形態について、添付図面を参照しつつ説明する。なお、本発明に係るペンは、筆記具や化粧具として用いられるものではあるが、本実施形態においては、化粧具（ネイルアート用のペン）を一例に説明することとする。
【００４６】
本実施形態に係るペンは、図１及び図２に示す如く、インクの塗布対象（本実施形態においては、ネイルアート対象者）にラメ入りインク（本実施形態においては、ネイルアート用のラメ入りインク）を塗布するためのペン先部５１を有するペン本体２と、ペン本体２のペン先部５１を覆うキャップ３とを備える。なお、ここで、「ラメ入りインク」とは、反射性或いは光沢性を有する鉱物、金属、又は繊維等の材料を粉状、粒状、或いは片状に微細化した装飾粒子を含むインクを意味する。
【００４７】
ペン本体２は、外装を構成する外装体４と、外装体４に内装されるペン用リフィル（以下、単にリフィルという。）５とを備える。
【００４８】
外装体４は、一端と該一端の反対側の他端とを有する筒状の胴軸部４０と、胴軸部４０の一端を閉塞する尻部４１とを備える。
【００４９】
リフィル５は、装飾粒子を含むインクを貯留するインク貯留部５０と、基端及び該基端の反対側の先端を有するペン先部５１であって、インクの塗布対象にインクを塗布するためのペン先部５１とを備える。本実施形態において、リフィル５は、インク貯留部５０のインクをペン先部５１に向けて誘導するインク誘導部５２を備える。また、リフィル５は、ペン先部５１を挿通させる貫通孔５３０を有し、ペン先部５１を貫通孔５３０に挿通させた状態で、該ペン先部５１の先端部を露出させつつペン先部５１を保持するホルダー部５３を備える。
【００５０】
インク貯留部５０は、インクを収容する内部空間Ｓを画定した周壁部５００を有する。より具体的に説明すると、本実施形態のインク貯留部５０は、一端と該一端の反対側の他端とを有する筒状の周壁部５００と、周壁部５００の一端を閉塞する閉塞部５０１とを備える。これにより、インク貯留部５０は、周壁部５００及び閉塞部５０１によって閉じられた内部空間Ｓを有する。
【００５１】
本実施形態において、インク貯留部５０の内部空間Ｓには、装飾粒子を含む液状のインクが充填される。これに伴い、本実施形態のリフィル５は、図１〜図３に示す如く、ペン先部５１に供給するインクの量を調整するためのコレクタ５４を備える。
【００５２】
コレクタ５４は、万年筆等の直液式の筆記具に採用される、所謂羽状調節体である。具体的には、コレクタ５４は、中心線上にインク誘導部５２を貫設するための貫通孔５４０ａを有する主軸部５４０と、該主軸部５４０の軸線方向に間隔をあけて配置された複数の仕切羽５４１…であって、主軸部５４０の外面から延出する複数の仕切羽５４１…とを備えている。コレクタ５４は、主軸部５４０の両端部に径方向外方に延出した鍔部５４２，５４３を有し、両鍔部５４２，５４３間の外面に複数の仕切羽５４１…が延設されている。
【００５３】
複数の仕切羽５４１…のそれぞれは、何れも主軸部５４０の略全周から延出し、円板状に形成される。隣り合う仕切羽５４１…の間隔は、隣り合う仕切羽５４１…間に毛細管力が作用する間隔に設定される。
【００５４】
複数の仕切羽５４１…のそれぞれには、図４に示す如く、主軸部５４０からの延出方向に延びるスリット５４４が形成される。各仕切羽５４１…のスリット５４４は、主軸部５４０の軸線方向で一列をなすように形成される。各仕切羽５４１…のスリット５４４は、主軸部５４０の貫通孔５４０ａを画定する内周面上で開放している。また、複数の仕切羽５４１…のそれぞれには、スリット５４４に対して仕切羽５４１…の周方向でずれた位置に空気交換用の切欠部５４５が設けられている。該切欠部５４５における主軸部５４０の軸線方向から見た開口面積は、スリット５４４よりも広く設定されている。上記構成のコレクタ５４は、図３に示す如く、一方の鍔部５４２でインク貯留部５０（内部空間Ｓ）を閉塞するように設けられる。
【００５５】
より具体的に説明すると、本実施形態に係るリフィル５は、インク貯留部５０の内部空間Ｓを画定する周壁部５００の他端に連続して形成された筒状保持部５５であって、コレクタ５４及びホルダー部５３を同列で保持する筒状保持部５５を備える。これに伴い、コレクタ５４は、一方の鍔部５４２をインク貯留部５０側に位置させた状態で筒状保持部５５に嵌入されている。これにより、コレクタ５４の一方の鍔部５４２は、インクを充填したインク貯留部５０の内部空間Ｓを密閉している。また、筒状保持部５５は、コレクタ５４の複数の仕切羽５４１…を包囲している。
【００５６】
ペン先部５１は、図１〜図３に示す如く、インク貯留部５０からのインクが供給される基端と、該基端の反対側の先端であって、インクの塗布対象に接触される先端とを有し、外周面上で開放し且つ基端から先端まで延びる溝５１０を備える。
【００５７】
より具体的に説明すると、ペン先部５１は、棒状に形成されている。これに伴い、ペン先部５１における軸心方向の一端は、インク貯留部５０からのインクが供給される基端とされ、ペン先部５１における軸心方向の他端は、インクの塗布対象に接触される先端とされる。
【００５８】
本実施形態のペン先部５１は、樹脂材料（本実施形態においてはプラスチック）を押出成形することで、外周面上に溝５１０を有する棒状に成形されている。
【００５９】
ペン先部５１の溝５１０は、ペン先部５１の軸心方向に延びている。ペン先部５１の溝５１０は、ペン先部５１の軸心方向全長に亘って形成されている。これに伴い、ペン先部５１の溝５１０は、外周面上で開口するとともに、ペン先部５１の軸心方向の一端面及び他端面においても開口している。
【００６０】
ペン先部５１の溝５１０は、図５に示す如く、ペン先部５１の中心側から外周に向けて拡大している。
【００６１】
本実施形態に係るペン先部５１の溝５１０は、溝幅が拡大した部分と溝幅が縮小した部分とを中心側から外周側に向けて交互に有する。本実施形態に係る溝５１０は、溝幅が拡大した部分と溝幅が縮小した部分とが交互に配置されることで、ペン先部５１の外周面上で最大幅になるように形成されている。すなわち、ペン先部５１の溝５１０は、中心側から外周に向けて徐々に拡大し、当該ペン先部５１の外周上で最大になるよう形成されている。
【００６２】
本実施形態のペン先部５１において、溝５１０は、ペン先部５１の外周面上で周方向に間隔をあけて複数設けられている。複数の溝５１０…は、周方向で等間隔に配置されている。
【００６３】
本実施形態に係るインク誘導部５２は、図１〜図３に示す如く、インク貯留部５０に接続される一端部と、該一端部と反対側の他端部であって、ペン先部５１に接続される他端とを有し、外周面上で開放し且つ基端から先端まで延びる溝５２０を備える。
【００６４】
より具体的に説明すると、インク誘導部５２は、インク貯留部５０（内部空間Ｓ）とペン先部５１とに跨る長さの棒状に形成されている。これに伴い、インク誘導部５２における軸心方向の一端は、インク貯留部５０内に露出し、インク誘導部５２における軸心方向の他端は、ペン先部５１に接続される。本実施形態に係るペン１は、上述の如く、コレクタ５４を備えているため、インク誘導部５２は、コレクタ５４（主軸部５４０）の貫通孔５４０ａに挿通され、該インク誘導部５２の一端がインク貯留部５０の内部空間Ｓに露出させるとともに、該インク誘導部５２の他端がペン先部５１に接続されている。
【００６５】
本実施形態のインク誘導部５２は、樹脂材料（本実施形態においてはプラスチック）を押出成形することで、外周面上に溝５２０を有する棒状に成形されている。
【００６６】
インク誘導部５２の溝５２０は、インク誘導部５２の軸心方向に延びている。インク誘導部５２の溝５２０は、インク誘導部５２の軸心方向全長亘って形成されている。これに伴い、インク誘導部５２の溝５２０は、図４に示す如く、外周面上で開口するとともに、インク誘導部５２の軸心方向の一端面及び他端面においても開口している。
【００６７】
インク誘導部５２の溝５２０は、インク誘導部５２の中心側から外周に向けて拡大している。
【００６８】
本実施形態に係るインク誘導部５２の溝５２０は、溝幅が拡大した部分と溝幅が縮小した部分とを中心側から外周側に向けて交互に有する。本実施形態に係る溝５２０は、溝幅が拡大した部分と溝幅が縮小した部分とが交互に配置されることで、インク誘導部５２の外周面上で最大幅になるように形成されている。すなわち、インク誘導部５２の溝５２０は、中心側から外周に向けて徐々に拡大し、当該インク誘導部５２の外周上で最大になるよう形成されている。
【００６９】
本実施形態のインク誘導部５２において、溝５２０は、インク誘導部５２の外周面上で周方向に間隔をあけて複数設けられている。本実施形態において、複数の溝５２０…は、周方向で等間隔に配置されている。
【００７０】
本実施形態において、ペン先部５１及びインク誘導部５２は、図１〜図３に示す如く、連続して一体成形されている。そして、ペン先部５１の溝５１０及びインク誘導部５２の溝５２０は、互いに連続している。
【００７１】
本実施形態においては、ペン先部５１及びインク誘導部５２は、断面形状及び断面サイズが同一に設定されており（図４及び図５参照）、互いの複数の溝５１０…，５２０…のそれぞれが軸線方向で直線的に連続している。
【００７２】
ホルダー部５３は、上述の如く、ペン先部５１を挿通させる貫通孔５３０を有し、該貫通孔５３０にペン先部５１が先端側を外部に延出させるようにして挿通されている。
【００７３】
ホルダー部５３は、筒状に形成されている。ホルダー部５３は、ペン先部５１の先端部を延出させる先端面（採番しない）と、貫通孔５３０の周囲に形成された環状面５３１であって、該ホルダー部５３の前記先端面に対して反対側を向く環状面５３１とを有する。
【００７４】
より具体的に説明すると、ホルダー部５３は、図６及び図７に示す如く、インク貯留部５０側に位置する大径筒部５３ａと、大径筒部５３ａよりも小径に形成された小径筒部５３ｂであって、大径筒部５３ａと連続した小径筒部５３ｂとを備える。図８に示す如く、大径筒部５３ａの内孔５３０ａと小径筒部５３ｂの内孔５３０ｂとは同心で連続している。
【００７５】
大径筒部５３ａの内孔５３０ａは、インク誘導部５２の他端部を挿入可能に設定された大径孔部５３０ｃと、大径孔部５３０ｃと連続する小径孔部５３０ｄであって、ペン先部５１を挿入可能で且つ大径孔部５３０ｃよりも小径な小径孔部５３０ｄとにより構成される。これにより、ホルダー部５３（大径筒部５３ａ）内には、大径孔部５３０ｃと小径孔部５３０ｄとの異径による段差が形成される。これにより、ホルダー部５３は、貫通孔５３０の周囲に形成された環状面５３１であって、貫通孔５３０を画定する内周面５３２に繋がって当該ホルダー部５３の前記先端に対して反対側を向く環状面５３１を大径孔部５３０ｃと小径孔部５３０ｄとの境界に有する。
【００７６】
小径筒部５３ｂの内孔５３０ｂは、大径筒部５３ａの内孔５３０ａと同心に形成される。また、小径筒部５３ｂの内孔５３０ｂは、大径筒部５３ａの小径孔部５３０ｄと同径に設定され、ペン先部５１を挿入可能に構成される。
【００７７】
従って、大径筒部５３ａの内孔５３０ａ及び小径筒部５３ｂの内孔５３０ｂは、互いに連続することで、ペン先部５１を挿入する貫通孔５３０を形成している。
【００７８】
大径筒部５３ａの小径孔部５３０ｄを画定する内周面５３２ｄと小径筒部５３ｂの内孔５３０ｂの内周面５３２ｂとは連続した面を構成する。すなわち、大径筒部５３ａの小径孔部５３０ｄ及び小径筒部５３ｂの内孔５３０ｂは、ペン先部５１を挿通可能な連続孔５３６であって、ペン先部５１の少なくとも一部を拘束可能な内周面５３２によって画定される連続孔５３６を構成する。なお、以下の説明において、貫通孔５３０のうち、大径筒部５３ａの小径孔部５３０ｄと小径筒部５３ｂの内孔５３０ｂとによって形成された部分を上記表現に併せて連続孔５３６ということとする。
【００７９】
連続孔５３６は、保持するペン先部５１の外形状に即して形成される。本実施形態において、連続孔５３６は、図９及び図１０に示す如く、当該連続孔５３６の孔中心線の延びる方向から見て円形状に形成されている。本実施形態において、連続孔５３６は、図８に示す如く、大径筒部５３ａ側から該ホルダー部５３の先端面側に向かうにつれて小径になるテーパー孔とされ、小径筒部５３ｂの先端側における内周面でペン先部５１を保持するように形成されている。
【００８０】
本実施形態に係るホルダー部５３は、インク誘導部５２からのインクを保持可能なインク保持部５３３であって、前記貫通孔５３０の周囲の少なくとも一部に形成されたインク保持部５３３と、前記貫通孔５３０を画定する内周面５３２上で開口した第一開放部５３４であって、インク保持部５３３と連通する第一開放部５３４とを備えている。インク保持部５３３は、貫通孔５３０の周囲に複数形成され、第一開放部５３４は、複数のインク保持部５３３に対応して貫通孔５３０の周囲に複数形成されている。本実施形態において、インク保持部５３３、及び第一開放部５３４のそれぞれは、スリット状（幅狭な隙間状）に形成される
【００８１】
また、ホルダー部５３は、上記構成に加え、環状面５３１上で開口した第二開放部５３５であって、インク保持部５３３と連通する第二開放部５３５を更に備える。本実施形態において、第二開放部５３５は、スリット状（幅狭な隙間状）に形成される。
【００８２】
インク保持部５３３は、図５、図９、及び図１１に示す如く、貫通孔５３０のうちの連続孔５３６の周囲に設けられる。インク保持部５３３は、貫通孔５３０（連続孔５３６）の孔中心線と同方向に延びるスリット状に形成されている。ここでスリット状とは、毛細管力を発揮し得る幅狭な隙間の如く形成されることを意味する。本実施形態において、インク保持部５３３は、貫通孔５３０（連続孔５３６）の周囲に複数設けられる。そして、上述の如く、インク保持部５３３が貫通孔５３０（連続孔５３６）の孔中心線と同方向に延びるスリット状に形成されることで、複数のインク保持部５３３は、貫通孔５３０（連続孔５３６）を中心にして放射状に配置されている。
【００８３】
インク保持部５３３は、図８に示す如く、貫通孔５３０の中心線方向においてホルダー部５３の基端部側の所定範囲内に形成されている。従って、インク保持部５３３は、ペン先部５１を露出させるホルダー部５３の先端面側へのインクの流通を不能に形成されている。すなわち、インク保持部５３３は、ペン先部５１に付着したインクを塗布対象に塗布したときに、流入したインクがペン先部５１の先端側に引き込まれてペン先部５１の先端に供給されないように、先端側へのインクの流出を阻止可能に形成される。
【００８４】
第一開放部５３４は、図５、図９、及び図１１に示す如く、貫通孔５３０のうちの連続孔５３６の周囲に設けられ、貫通孔５３０（連続孔５３６）を画定する内周面５３２上で開放している。第一開放部５３４は、貫通孔５３０（連続孔５３６）の孔中心線と同方向に延びるスリット状に形成されている。ここでスリット状とは、毛細管力を発揮し得る幅狭な隙間の如く形成されることを意味する。本実施形態において、第一開放部５３４は、貫通孔５３０（連続孔５３６）の周囲に複数設けられる。本実施形態において、複数の第一開放部５３４…のそれぞれは、複数のインク保持部５３３…に対応して配置される。すなわち、複数の第一開放部５３４…のそれぞれは、対応するインク保持部５３３とともに単一のスリットとして形成される。従って、複数の第一開放部５３４…は、貫通孔５３０（連続孔５３６）を中心にして放射状に配置されている。
【００８５】
第一開放部５３４は、貫通孔５３０の中心線方向においてホルダー部５３の基端部側の所定範囲内に形成されている。従って、第一開放部５３４は、インク保持部５３３と同様に、ペン先部５１を露出させるホルダー部５３の先端側へのインクの流通を不能に形成されている。すなわち、第一開放部５３４は、ペン先部５１に付着したインクを塗布対象に塗布したときに、流入したインクがペン先部５１の先端側に引き込まれてペン先部５１の先端に供給されないように、ホルダー部５３の先端面側へのインクの流出を阻止可能に形成される。
【００８６】
第二開放部５３５は、図９及び図１１に示す如く、貫通孔５３０のうちの連続孔５３６の周囲に設けられ、大径孔部５３０ｃと小径孔部５３０ｄとの境界に形成される環状面５３１上で開口している。第二開放部５３５は、貫通孔５３０（連続孔５３６）の径方向に延びるスリット状に形成されている。ここでスリット状とは、毛細管力を発揮し得る幅狭な隙間の如く形成されることを意味する。本実施形態において、第二開放部５３５は、貫通孔５３０（連続孔５３６）の周囲に複数設けられる。本実施形態において、複数の第二開放部５３５…のそれぞれは、複数のインク保持部５３３…に対応して配置される。すなわち、複数の第二開放部５３５…のそれぞれは、対応するインク保持部５３３及び第一開放部５３４とともに単一のスリットを形成する。従って、複数の第二開放部５３５…は、貫通孔５３０（連続孔５３６）を中心にして放射状に配置されている。
【００８７】
このように、本実施形態のホルダー部５３において、インク保持部５３３、第一開放部５３４、及び第二開放部５３５の配置や形態が対応付けられることで、インク保持部５３３、第一開放部５３４、第二開放部５３５は、単一のスリット（隙間）であって、貫通孔５３０（連続孔５３６）の内周面５３２及び環状面５３１の二箇所で開放（開口）した単一のスリットを形成している。なお、本実施形態においては、第一開放部５３４及び第二開放部５３５は、開口する向きを異にしているが、貫通孔５３０（連続孔５３６）の内周面５３２と環状面５３１との接続箇所で連続して開口している。
【００８８】
図３に戻り、ホルダー部５３は、大径筒部５３ａをインク貯留部５０側に位置させた状態で筒状保持部５５に嵌入されている。この状態で、大径筒部５３ａは、コレクタ５４の他方の鍔部５４３に密接しており、インク誘導部５２によって誘導されてきたインクが、ホルダー部５３の外周に漏れ出ることが阻止されている。なお、本実施形態において、ホルダー部５３の小径筒部５３ｂは、筒状保持部５５の先端から延出するが、筒状保持部５５の先端部及びホルダー部５３の小径筒部５３ｂの先端部が共にテーパー筒状に形成され、略連続したテーパー面を構成している。
【００８９】
そして、ペン本体２は、上記構成のリフィル５が外装体４（胴軸部４０）に嵌入された状態で、筒状保持部５５の先端部、ホルダー部５３の先端部（小径筒部５３ｂ）、及びペン先部５１の先端部を外部に露出させている。これにより、本実施形態において、ペン本体２（リフィル５）の筒状保持部５５の先端部及びホルダー部５３の先端部（小径筒部５３ｂ）が使用者の把持部分を構成している。
【００９０】
本実施形態に係るペン１（リフィル５）は、以上の通りであり、次に作用について説明する。
【００９１】
上記構成のペン１（リフィル５）において、インク貯留部５０のインクは、インク誘導部５２によって誘導される。すなわち、インク貯留部５０のインクは、インク誘導部５２の溝５２０の毛細管力により、インク誘導部５２の一端から他端に向けて溝５２０内を流通する。そして、インク誘導部５２に誘導されたインクは、当該インク誘導部５２の他端部に到達すると、インク誘導部５２の他端部からペン先部５１に供給される。そして、ペン先部５１に供給されたインクは、ペン先部５１の溝５１０の毛細管力により、ペン先部５１の基端から先端に向けて溝５１０内を流通する。
【００９２】
本実施形態に係るペン１は、インク貯留部５０のインクが装飾粒子を含んでいるが、インク誘導部５２に形成された溝５２０…がインク誘導部５２の外周で開放しているため、上述の如く、インクがインク誘導部５２の溝５２０内を流通する際に、装飾粒子がインク誘導部５２に堆積することが防止される。
【００９３】
すなわち、本実施形態に係るペン１においては、インク誘導部５２の外周上で開放した溝５２０をインクが流通するため、インクに含まれる装飾粒子が流通空間（溝５２０）を画定する壁面と接触する機会を少なくできる。その結果、インクに含まれる装飾粒子がインク誘導部５２上で堆積することが抑制され、インクの適正な流通が確保される。
【００９４】
また、ペン先部５１に形成された溝５１０…は、ペン先部５１の外周で開放しているため、上述の如く、インクがペン先部５１の溝５１０内を流通する際に、装飾粒子がペン先部５１に堆積することが防止される。
【００９５】
すなわち、本実施形態に係るペン１においては、ペン先部５１の外周上で開放した溝５１０をインクが流通するため、インクに含まれる装飾粒子が流通空間（溝５１０）を画定する壁面と接触する機会を少なくできる。その結果、インクに含まれる装飾粒子がペン先部５１上で堆積することが抑制され、インクの適正な流通が確保される。
【００９６】
本実施形態において、インク誘導部５２及びペン先部５１は、一体的に成形され、互いの溝５１０，５２０が連続しているため、インク貯留部５０から供給されるインクは、インク誘導部５２の一端からペン先部５１の先端に向けて連続的に流通するが、インクの流通量が多い場合には、コレクタ５４がインク誘導部５２を流通する余剰なインクを保持する。従って、ペン先部５１には、適量のインクが供給される。
【００９７】
また、本実施形態において、ホルダー部５３は、ペン先部５１を挿通する貫通孔５３０（連続孔５３６）周りに設けられたインク保持部５３３と、貫通孔５３０を画定する内周面５３２上で開口した第一開放部５３４であって、インク保持部５３３と連通した第一開放部５３４とを備えているため、ペン先部５１の外周上にある溝５１０内がインクで充満すると、該インクが第一開放部５３４に流入し、第一開放部５３４に連通するインク保持部５３３にもインクが流入する。
【００９８】
すなわち、第一開放部５３４及び第一開放部５３４に連通するインク保持部５３３がスリット状に形成されるため、これらに毛細管力が生じる。これにより、第一開放部５３４及びインク保持部５３３にインクの吸い込み作用が生じ、ペン先部５１の外周面上で開放した溝５１０内にあるインクが第一開放部５３４を介してインク保持部５３３に円滑に流入する。また、インク保持部５３３と連通する第二開放部５３５についても、スリット状に形成されるため、第二開放部５３５に毛細管力が生じる。これにより、第二開放部５３５にインクの吸い込み作用が生じ、インク保持部５３３内のインクが第二開放部５３５に対して円滑に流入する。その結果、インク保持部５３３、第一開放部５３４、及び第二開放部５３５は、インクで充満する。
【００９９】
そして、ペン先部５１の先端部がインクの塗布対象に接触すると、当該ペン先部５１のインクが消費される。そうすると、ペン先部５１及びインク誘導部５２による毛細管力により、上記の系統を経てインク貯留部５０のインクがペン先部５１に供給される。従って、本実施形態に係るペン１は、インクの塗布対象に対して連続的にインクを塗布できる。
【０１００】
以上のように、本実施形態に係るペン１（リフィル５）は、装飾粒子を含むインクを貯留するインク貯留部５０と、インクの塗布対象に前記インクを塗布するためのペン先部５１を備え、ペン先部５１は、インク貯留部５０からのインクが供給される基端と、該基端の反対側の先端であって、インクの塗布対象に接触される先端とを有するとともに、外周面上で開放し且つ基端から先端まで延びる溝５１０を備えている。
【０１０１】
これにより、本実施形態に係るペン１によれば、インク貯留部５０のインクがペン先部５１に供給されると、該インクは、ペン先部５１の外周上に形成された溝５１０に流入する。そうすると、溝５１０の毛細管力により、供給されたインクは、ペン先部５１の基端から先端に向けて流通し、ペン先部５１の先端がインクで潤沢になる。
【０１０２】
そして、ペン先部５１の先端がインクの塗布対象に接触すると、ペン先部５１の先端にあるインクが塗布対象に乗り移り、ペン先部５１のインクが消費される。これに伴い、インク貯留部５０に貯留されたインクがペン先部５１に供給される。従って、本実施形態に係るペン１は、インクの塗布対象に対してインクを連続的に塗布することができる。
【０１０３】
そして、本実施形態に係るペン１（リフィル５）において、インク貯留部５０のインクが装飾粒子を含んでいるが、ペン先部５１に形成された溝５１０は、ペン先部５１の外周で開放しているため、インクの流通に伴って装飾粒子がペン先部５１に堆積することが防止される。
【０１０４】
具体的に説明すると、ペン先部５１の基端から先端まで形成されるインクの流通空間の周囲が閉じられると、該流通空間を画定する壁面に装飾粒子が引っ掛かったり、付着したりする機会が増えるため、インクに含まれる装飾粒子が堆積し、インクの流通が阻害される。
【０１０５】
しかし、本実施形態に係るペン１（リフィル５）においては、ペン先部５１の外周上で開放した溝５１０をインクが流通するため、インクに含まれる装飾粒子が流通空間（溝５１０）を画定する壁面と接触する機会を少なくできる。その結果、インクに含まれる装飾粒子がペン先部５１上で堆積することが抑制され、インクの適正な流通が確保される。
【０１０６】
また、本実施形態において、ペン先部５１の溝５１０は、ペン先部５１の外周面上で周方向に間隔をあけて複数設けられているため、複数の溝５１０のそれぞれでインクが流通する。これにより、ペン先部５１の先端における外周の複数箇所にインクが供給される。従って、ペン１の姿勢に関係なく、ペン先部５１の先端をインクの塗布対象に接触させることで、インクの塗布対象にインクを塗布することができる。
【０１０７】
また、本実施形態において、ペン先部５１の溝５１０は、ペン先部５１の中心側から外周に向けて拡大しているため、ペン先部５１の外周側ほど溝５１０の幅が広くなる。これにより、インクに含まれる装飾粒子に比較的な大きなものが含まれていたとしても、装飾粒子が溝５１０の幅の広い領域を通過することになり、インクの円滑な流通を確保できる。
【０１０８】
また、本実施形態に係るペン１（リフィル５）は、インク貯留部５０のインクをペン先部５１に向けて誘導するインク誘導部５２を備え、インク誘導部５２は、インク貯留部５０に接続される一端部と、該一端部とは反対側の他端部であって、ペン先部５１に接続される他端部とを有するとともに、外周面上で開放し且つ一端から他端まで延びる溝５２０を備えている。
【０１０９】
これにより、本実施形態に係るペン１（リフィル５）は、装飾粒子を含むインクをインク貯留部５０からペン先部５１に適正に供給することができる。
【０１１０】
具体的には、インク誘導部５２の一端から他端まで形成されるインクの流通空間の周囲が閉じられると、該流通空間を画定する壁面に装飾粒子が引っ掛かったり、付着したりする機会が増えるため、インクに含まれる装飾粒子が堆積し、インクの流通が阻害される。
【０１１１】
しかし、本実施形態に係るペン１（リフィル５）においては、インク誘導部５２の外周上で開放した溝５２０をインクが流通するため、インクに含まれる装飾粒子が流通空間を画定する壁面と接触する機会を少なくできる。その結果、インクに含まれる装飾粒子がインク誘導部５２で堆積することが抑制される結果、ペン先部５１に対するインクの適正な供給が確保される。
【０１１２】
特に、ペン先部５１及びインク誘導部５２は、連続して一体成形され、互いの溝５１０，５２０が連続しているため、インク貯留部５０のインクがインク誘導体の溝５２０を流通し、引き続きペン先部５１の溝５１０を流通する。すなわち、インクの流通経路が断続的にならず、インクの円滑な流通が確保される。
【０１１３】
なお、本発明は、上記実施形態に限定されるものではなく、本発明の要旨を逸脱しない範囲で適宜変更可能である。
【０１１４】
上記実施形態において、化粧に用いられる化粧具としてのペン１について説明したが、これに限定されるものではない。例えば、筆記を行うための筆記具（文具）としてのペン１であっても勿論よい。
【０１１５】
上記実施形態において、外装体４（胴軸部４０）にペン用リフィル５のインク貯留部５０が内装されたペン１であって、当該ペン用リフィル５が外装体４（胴軸部４０）に固着されたペン１について説明したが、これに限定されない。例えば、外装体４（胴軸部４０）に対してペン用リフィル５が着脱可能（交換可能）に取り付けられるペン１であってもよい。すなわち、ペン用リフィル５は、外装体４（胴軸部４０）に固着されるものに限定されるものではなく、外装体４（胴軸部４０）に着脱可能に構成されたものであってもよい。
【０１１６】
また、外装体４（胴軸部４０）にペン用リフィル５が取り付けられたペン１に限定されるものではなく、例えば、外装体４（胴軸部４０）がインク貯留部５０を形成し、該外装体４（胴軸部４０）にインク誘導部５２やホルダー部５３、ペン先部５１が取り付けられたペン１であってもよい。すなわち、ペン用リフィル５の外径及びサイズを筆記に適したものにしてペン１そのものにしたものであってもよい。
【０１１７】
上記実施形態において、ペン先部５１及びインク誘導部５２が一体的に成形されたが、これに限定されない。インク誘導部５２が設けられる場合、ペン先部５１とインク誘導部５２とが別個独立したものであってもよい。この場合、ペン先部５１及びインク誘導部５２は、互いの断面形状及び断面サイズを異にしてもよい。すなわち、ペン先部５１の溝５１０とインク誘導部５２の溝５２０の形状及びサイズが異なってもよい。
【０１１８】
この場合においても、ペン先部５１の基端に対してインク誘導部５２の他端が接続され、インク誘導部５２の溝５２０とペン先部５１の溝５１０とが連なってインクが流通可能に構成されればよい。
【０１１９】
上記実施形態において、インク誘導部５２が設けられたが、これに限定されない。例えば、インク誘導部５２が設けられることなく、ペン先部５１に対してインク貯留部５０が隣接して配置され、インク貯留部５０のインクがペン先部５１に対して直接供給されてもよい。
【０１２０】
上記実施形態において、ペン先部５１に対して複数の溝５１０…が設けられたが、これに限定されない。例えば、ペン先部５１に対して一つの溝５１０が設けられたものであってもよい。すなわち、ペン先部５１は、少なくとも一つの溝５１０を備えればよい。この点、インク誘導部５２も同様である。
【０１２１】
上記実施形態において、ペン先部５１の溝５１０が当該ペン先部５１の中心側から外周側に向けて拡大しが、これに限定されない。例えば、ペン先部５１の溝５１０は、当該ペン先部５１の中心側から外周面側に向けて同幅に形成されてもよい。この点、インク誘導部５２も同様である。
【０１２２】
上記実施形態において、ペン先部５１に複数の溝５１０が設けられ、該複数の溝５１０…の間隔がペン先部５１の周囲で等間隔にされることで、ペン先部５１の中心線方向から見て放射状に配置されたが、これに限定されない。例えば、複数の溝５１０は、ペン先部５１の周囲で不均等な間隔で配置されてもよい。この点、インク誘導部５２も同様である。
【０１２３】
上記実施形態において、ペン先部５１に設けられた複数の溝５１０…のそれぞれが同形態で且つ同サイズに設定されたが、これに限定されない。例えば、ペン先部５１に複数の溝５１０…が設けられる場合は、図１２に示す如く、異なる形態で且つ異なるサイズの溝５１０…が周囲に設けられてもよい。この点、インク誘導部５２も同様である。
【０１２４】
上記実施形態において、ペン先部５１に設けられた溝５１０は、ペン先部５１の中心側から外周側に向けて真っ直ぐ延びるように形成されたが、これに限定されない。例えば、ペン先部５１の溝５１０は、ペン先部５１の中心側から外周側に向けて迂曲するように形成されてもよい。すなわち、ペン先部５１の溝５１０は、当該ペン先部５１の外周上で開口していれば、断面形状を種々変更してもよい。但し、インクに含まれる装飾粒子の流通を円滑にするには、ペン先部５１の外周面上での開口が中心側の溝幅よりも広くなるように形成することが好ましい。この点、インク誘導部５２も同様である。
【０１２５】
上記実施形態において、タンク状に形成したインク貯留部５０に液状のインクをそのまま収容し、ペン先部５１に対するインク貯留部５０からのインクの供給量を調整するコレクタ５４を設けたが、これに限定されない。例えば、図１３に示す如く、コレクタ５４を設けることなく、単にインク誘導部５２でインク貯留部５０のインクをペン先部５１に供給するようにしてもよい。
【０１２６】
また、インク貯留部５０は、図１４に示す如く、内部空間Ｓ全体に充填されたインク吸蔵材５６にインクを吸蔵させたものや、図１５に示す如く、内部空間Ｓの所定領域に液状のインクを充填し、内部空間Ｓの残りの領域に充填された吸液性を有するインク吸蔵材５７にインクを吸蔵させたもの等であってもよい。なお、インク吸蔵材５６，５７を設ける場合、インクに含まれる装飾粒子が滞留しないようにインク吸蔵材５６，５７を構成することは言うまでもない。
【０１２７】
上記実施形態において、インク保持部５３３、第一開放部５３４及び第二開放部５３５を備えたホルダー部５３でペン先部５１を保持するようにしたが、これに限定されない。例えば、ホルダー部５３は、ペン先部５１を挿通させる貫通孔５３０のみを備えたもの（インク保持部５３３、第一開放部５３４及び第二開放部５３５のないもの）であってもよい。
【０１２８】
また、上記実施形態において、ホルダー部５３は、インク保持部５３３を備えることを前提に、第二開放部５３５を備えたが、これに限定されない。例えば、ホルダー部５３がインク保持部５３３を備える場合、ホルダー部５３は、インクの流入や保持に関する構成として、インク保持部５３３及び第一開放部５３４だけを備え、インク保持部５３３に対するインクの出し入れを第一開放部５３４で行うようにしたものであってもよい。この場合、インク保持部５３３を密閉空間にすると、インク保持部５３３内に残存する空気或いはインクが、第一開放部５３４によるインクの出し入れを阻害する傾向にあるため、インク保持部５３３を開放空間とする通気路（インク保持部５３３と外部とを連通させる通気路）を設けるようにすることが好ましい。
【０１２９】
上記実施形態において、インク保持部５３３が貫通孔５３０の軸心と同方向に延びるスリット状に形成されたが、これに限定されない。例えば、ホルダー部５３がインク保持部５３３を備える場合、インク保持部５３３は、貫通孔５３０の周方向に延びるスリット状に形成されたものであってもよい。この場合、インク保持部５３３は、貫通孔５３０の周囲で無端環状をなす環状溝状に形成されてもよいし、貫通孔５３０を画定する内周面５３２の一部に溝状に形成されてもよい。また、インク保持部５３３は、スリット状（溝状）に形成されたものに限定されるものではなく、単なる空洞であってもよい。また、インク保持部５３３が貫通孔５３０の周囲に複数形成さたり、貫通孔５３０の周囲全周に形成されたりしたものに限定されない。例えば、インク保持部５３３は、貫通孔５３０の周囲の少なくとも一箇所に設けられればよい。
【０１３０】
上記実施形態において、第一開放部５３４がインク保持部５３３と対応して貫通孔５３０の軸心と同方向に延びるスリット状に形成されたが、これに限定されない。例えば、ホルダー部５３がインク保持部５３３を備える場合、インク保持部５３３は、貫通孔５３０の周方向に延びるスリット状に形成され、第一開放部５３４は、インク保持部５３３に沿うようにスリット状に形成されてもよい。この場合、第一開放部５３４は、内周面５３２の全周に亘って連続的に開放するように形成されてもよいし、内周面５３２の一部で開放するように形成されてもよい。また、第一開放部５３４は、インク保持部５３３の形態に対応したものに限定されるものではなく、インク保持部５３３と異なる形態に形成されてもよい。すなわち、第一開放部５３４は、ペン先部５１と対向する内周面５３２上で開放し、且つインク保持部５３３と連通していれば、種々形態に変更可能である。
【０１３１】
上記実施形態において、第二開放部５３５がインク保持部５３３と対応して環状面５３１上でスリット状に形成されたが、これに限定されない。すなわち、ホルダー部５３がインク保持部５３３を備える場合、第二開放部５３５は、ホルダー部５３の先端とは反対側に向く面（環状面５３１）上で開放し、且つインク保持部５３３と連通していれば、種々形態に変更可能である。
【０１３２】
上記実施形態においては、第一開放部５３４及び第二開放部５３５は、貫通孔５３０（連続孔５３６）の内周面５３２と環状面５３１との接続箇所で連続して開口したが、これに限定されない。例えば、ホルダー部５３が第一開放部５３４及び第二開放部５３５を備える場合、第一開放部５３４及び第二開放部５３５は、インク保持部５３３に連通していれば、不連続に形成されてもよい。
【符号の説明】
【０１３３】
１…ペン、２…ペン本体、３…キャップ、４…外装体、５…リフィル（ペン用リフィル）、４０…胴軸部、４１…尻部、５０…インク貯留部、５１…ペン先部、５２…インク誘導部、５３…ホルダー部、５３ａ…大径筒部、５３ｂ…小径筒部、５４…コレクタ、５５…筒状保持部、５６，５７…インク吸蔵材、５００…周壁部、５０１…閉塞部、５１０…溝、５２０…溝、５３０…貫通孔、５３０ａ…内孔、５３０ｂ…内孔、５３０ｃ…大径孔部、５３０ｄ…小径孔部、５３１…環状面、５３２…内周面、５３２ｂ…内周面、５３２ｄ…内周面、５３３…インク保持部、５３４…第一開放部、５３５…第二開放部、５３６…連続孔、５４０…主軸部、５４０ａ…貫通孔、５４１…仕切羽、５４２，５４３…鍔部、５４４…スリット、５４５…切欠部、Ｓ…内部空間
【図１】
0006630473.tif 000002
【図２】
0006630473.tif 000003
【図３】
0006630473.tif 000004
【図４】
0006630473.tif 000005
【図５】
0006630473.tif 000006
【図６】
0006630473.tif 000007
【図７】
0006630473.tif 000008
【図８】
0006630473.tif 000009
【図９】
0006630473.tif 000010
【図１０】
0006630473.tif 000011
【図１１】
0006630473.tif 000012
【図１２】
0006630473.tif 000013
【図１３】
0006630473.tif 000014
【図１４】
0006630473.tif 000015
【図１５】
0006630473.tif 000016